(57)【要約】      （修正有）【課題】付加価値が高く、耐久性に優れ、製造コストが安い加熱用調理容器を提供する。【解決手段】容器本体部１０と、取手部２０からなる加熱用調理容器において、取手部２０に、ある一定の温度になると色が変化する示温表示部３０を取り付けた。【選択図】図１
0003120523.tif 000002
【実用新案登録請求の範囲】
【請求項１】
調理容器本体に取手を固着し、該取手の一部に示温表示部を形成した加熱用調理容器であって、
前記示温表示部を、取手の一部に付設した示温ゴムで構成したことを特徴とする、
加熱用調理容器。
【請求項２】
請求項１において、前記示温ゴムを、調理容器本体からの取付距離に差をつけて複数箇所に付設したことを特徴とする、加熱用調理容器。
【請求項３】
請求項１又は２において、前記示温ゴムの内部に金属板を設けたことを特徴とする、加熱用調理容器。
【請求項４】
請求項１乃至３の何れかにおいて、前記示温ゴムを、文字、数字、記号、図形の一種、又は複数種を組み合せて形成したことを特徴とする、加熱用調理容器。
【請求項５】
請求項１乃至４の何れかにおいて、前記示温ゴムを、温度変化に伴って変色する性質のシリコンゴムで形成したことを特徴とする、加熱用調理容器。
【考案の詳細な説明】
【技術分野】
【０００１】
本考案は、フライパンや鍋等の外部から直接加熱して主に調理用途に用いられる加熱用調理容器に関し、より詳細には調理に適した温度の表示機能を具備した加熱用調理容器に関するものである。
【背景技術】
【０００２】
調理容器本体部の内面、又は外面に示温表示部を形成した加熱用調理容器が特許文献１〜３により公知である。
特許文献１は調理容器本体部の内側表面に可逆的に変色する化学物質をコーティングした形態が開示され、特許文献２では調理容器本体部の外面に可逆性示温塗料を塗布した形態が開示され、又、特許文献３では調理容器本体部の外面に変色部材を貼付けた形態が開示されている。
【０００３】
【特許文献１】特表２００２−５２７７３４
【特許文献２】特開２００４−１８７８８９
【特許文献３】実用新案登録第３０９８８０８号
【考案の開示】
【考案が解決しようとする課題】
【０００４】
一般に、調理容器本体部の外面は、直接炎等の熱源に晒されるため損傷を受け易く、又、内面は焦げ付きや汚れのこびり付きを生じ易いうえに、金属製の調理補助具でかき混ぜられるため損傷を受け易く、更に、調理容器本体部の内外面が洗浄具によっても擦られて摩滅し易いことが知られている。
【０００５】
このように過酷な使用環境におかれる調理容器本体部の内面、又は外面に形成された示温性物質によるコーディング層、又はシールは、損傷や剥離がし易く耐久性に問題がある。
【０００６】
加えて、示温性物質によるコーディング層やシールに汚れが付着した場合は、コーディング層やシールの目視を困難にするうえに、付着物だけの除去が難しいといった問題点がある。
【０００７】
又、従来の示温性物質は、耐熱性に問題がある。
例えば、フライパンを空焼きした場合は４００℃もの高温に達し、このような高温に晒されると示温性のコーディング層やシールフィルム等が温度破壊して、示温機能を喪失してしまう。
【０００８】
本考案は以上の点に鑑みて成されたもので、その目的とするところは、耐熱性に優れ、高温の環境下にあっても示温性能を喪失することのない加熱用調理容器を提供することにある。
【課題を解決するための手段】
【０００９】
本願の第１考案は、調理容器本体に取手を固着し、該取手の一部に示温表示部を形成した加熱用調理容器であって、前記示温表示部を、取手の一部に付設した示温ゴムで構成したことを特徴とするものである。
【００１０】
本願の第２考案は、前記第１考案において、前記示温ゴムを、調理容器本体からの取付距離に差をつけて複数箇所に付設したことを特徴とするものである。
【００１１】
本願の第３考案は、前記第１又は第２考案において、前記示温ゴムの内部に金属板を設けたことを特徴とするものである。
【００１２】
本願の第４考案は、前記第１又は第３考案の何れかにおいて、前記示温ゴムを、文字、数字、記号、図形の一種、又は複数種を組み合せて形成したことを特徴とするとするものである。
【００１３】
本願の第５考案は、前記第１乃至第４考案の何れかにおいて、前記示温ゴムを温度変化に伴って変色する性質のシリコンゴムで形成したことを特徴とするものである。
【考案の効果】
【００１４】
以上説明したように、本考案によれば、少なくとも次の何れかひとつの効果を得ることができる。
（１）取手に形成した示温表示部を示温ゴムで構成することにより、調理容器本体を空焼きして取手が熱くなっても、示温表示部の示温機能を維持することができる。
そのため、加熱用調理容器の示温機能に対する信頼性が高まり、商品価値が高まる。
（２）示温ゴムを取手に複数付設すれば、調理者は調理容器本体の複数の加熱温度を認識することができる。
（３）示温ゴム内部に熱伝導率の高い金属板を設けることにより、より効果的に示温ゴムに調理容器本体の加熱温度を伝達することができる。
（４）示温ゴムを文字、数字、記号、図形の一種、又は複数種を組み合せて形成すれば、調理温度の知識に乏しい調理者であっても、調理容器本体の複数の加熱温度の認識がし易くなるだけでなく、調理温度の知識に乏しい調理者であっても最適な調理温度で調理をすることができる。
（５）示温ゴムを調理容器本体ではなく、取手の一部に形成したことで、金属製の調理器具を使って調理しても示温ゴムが損傷を受けることはなく、又、調理容器本体の内面が焦げて汚れたとしても示温表示部が視認できなくなる不都合を解消することができる。
更に、調理後においても、調理容器本体をこすり洗いしても示温表示部が傷付くこともなく、長期間に亘って加熱用調理容器の示温機能を維持できる。
【考案を実施するための最良の形態】
【００１５】
以下に添付図面を参照しながら，本考案の好適な実施の形態について詳細に説明する。
【００１６】
（１）加熱用調理容器
図１に本考案に係る一部を省略した加熱用調理容器の斜視図を示し、図２にその縦断面図を示す。
【００１７】
本考案が前提とする加熱用調理容器は、例えばフライパン、釜、鍋に代表される各種の加熱用調理容器を含み、蓋の有無は問わない。
図示した加熱用調理容器は、有底構造の調理容器本体１０と取手２０とを有し、取手２０が調理容器本体１０の側面１１の外面にリベット１２により固着されている。
本考案では、取手２０の一部に後述する示温表示部３０を形成した。
【００１８】
（２）調理容器本体
調理容器本体１０は、鉄、銅、アルミ、ホーロー等の公知の熱伝導性素材を単種、又は複数種を組み合わせて所定の形状に成形されている。
【００１９】
（３）取手
取手２０は調理容器本体１０の熱伝導が可能な素材で形成されていて、図示を省略した握り部は調理する人が火傷しないように耐熱性樹脂で覆うか、取手２０自体を熱伝導率の低い金属で形成する等の耐熱処理が成されている。
取手２０については公知の各種の形状や形態を含むものである。
【００２０】
尚、取手２０が熱伝導性の低い素材で形成されている場合は、例えば、ステンレス合金、アルミニウム合金等の熱伝導性の高い素材で調理容器本体１０から示温表示部３０までの間を被覆すれば、調理容器本体１０の温度伝達を正確に行える。
【００２１】
（４）示温表示部
示温表示部３０は、調理容器本体１０が所定の温度以上になると元の色が異なる色に変色し、この変色を調理者に示温表示部３０の現在の温度として視覚的に知らせる温度センサである。
【００２２】
図２に拡大して示すように、示温表示部３０は取手２０の固着部側に形成され、取手２０の上面に付設した単数、又は複数の示温ゴム３１により構成される。
示温ゴム３１は温度変化に伴って変色する性質のシリコンゴムで、このシリコンゴムは耐熱性に優れ、かつ高温域においても示温性能を喪失しない性質を有する。
【００２３】
温度変化に伴い変色するシリコンゴムの変色形態としては、単色から異なる単色に変化するタイプと、温度上昇に従い暗色化、又は明色化するように温度変化に対応して明度が変化するタイプの何れを採用してもよい。
【００２４】
又、本例における示温ゴム３１の取着形態について説明すると、示温ゴム３１は取手２０の上面に直列に複数の凹部２１を形成し、これらの各凹部２１内に所定の厚さの示温ゴム３１を収容して固着している。
【００２５】
複数の示温ゴム３１を配列するのは、加熱用調理容器全体のデザインの斬新性を向上させるためと、調理容器本体１０からの取付距離に差をつけて段階的な温度表示を可能にするためである。
【００２６】
示温ゴム３１の固着手段としては、ゴムの弾性を利用してはめ込み式で固定する方法、接着剤を用いた部分接着、或いは全面溶着等を適用でき、示温ゴム３１が調理時や洗浄時に容易に剥離しないように固着する。
【００２７】
（５）使用方法
本考案に係る加熱用調理容器を使用して調理するには、従来と同様に取手２０を握って調理容器本体１０を各種の熱源に載置する。
調理容器本体１０の温度上昇に伴い、取手２０の温度も徐々に上昇する。
【００２８】
取手２０の温度が所定の温度に達すると、取手２０に形成した示温表示部３０が変色し、調理者は示温表示部３０の変色を目視することで、調理容器本体１０の温度が調理に適した温度に達したことを認識できる。
【００２９】
示温表示部３０を調理容器本体１０ではなく、取手２０の一部に形成したことで、調理容器本体１０を金属製のターナー（フライ返し）を使用しても示温表示部３０が損傷を受けることはなく、又、調理容器本体１０の内面が焦げて汚れたとしても示温表示部３０は綺麗なままである。
【００３０】
仮に調理容器本体１０を空焼きして高温に達したとしても、示温表示部３０を高温でも示温性能を発揮する性質のシリコンゴム製の示温ゴム３１で構成したので、示温表示部３０の示温機能が喪失したり、劣化したりすることがない。
【００３１】
更に、調理後においても、調理容器本体１０をこすり洗いして洗浄しても示温表示部３０が傷付くことはない。
【００３２】
（６）その他の実施の形態
また、示温表示部３０を構成する示温ゴム３１を、調理用途に応じた温度設定を意味する文字や記号又は図形の形態にしたものを取手２０に固着してもよい。
【００３３】
例えば、調理容器本体１０が特定温度に達したことを数字の形態にしておけば、調理者は調理容器本体１０の温度を数字的に正確に認識できて、調理結果に良好に反映させることができる。或いは、アルファベット文字で高温と低温を意味する「Ｈ」と「Ｌ」を併記するようにしてもよい。
【００３４】
又、温度設定を例えば魚の略図、てんぷら、目玉焼き等の図柄に形成しておけば、調理の最適な温度認識の乏しい年少者が使用した場合でも、最適な温度で調理を行うことができる。
【００３５】
又、複数の示温ゴム３１について、上記した何れかの表示形態を選択して、段階的な温度変化を認識させるように表示の形態を異なるように組み合わせてもよい。このような形態で形成すれば、調理者は調理容器本体１０の温度を段階的に認識できるので、調理目的に応じた複数種類の温度でおいしい調理をすることができる。
【００３６】
又、図３に示すように、示温表示部３０を示温ゴム３１と、当該示温ゴム３１の内部に埋めこんで設けてあり、一部を調理容器本体あるいは取手部に接触してある金属板３２と、によって構成してもよい。
【００３７】
前記金属板３２は、熱伝導率が高く、耐熱性の高い金属が用いられ、例えば、銅などを使用することが好ましい。
【図面の簡単な説明】
【００３８】
【図１】本考案に係る一部を省略した加熱用調理容器の斜視図。
【図２】示温表示部を形成した調理容器本体と取手の一部の縦断面図。
【図３】本考案のその他の実施例における示温表示部の縦断面図。
【符号の説明】
【００３９】
１０・・・・・調理容器本体
１１・・・・・側面
２０・・・・・取手
２１・・・・・取手の上面
３０・・・・・示温表示部
３１・・・・・示温ゴム
３２・・・・・金属板
【図１】
0003120523.tif 000003
【図２】
0003120523.tif 000004
【図３】
0003120523.tif 000005